(57)【要約】【課題】  この発明は、高所作業中に作業員が落下した場合に、作業者を吊下するランヤードの剪断を防止すると共に、落下速度を緩和することを課題とする。【解決手段】  織布よりなる筒状袋の内側に、人体を吊下得る強度を有する筒状の鋼スプリングを内装し、前記筒状の鋼スプリングの一端にフックを連結し、他端にリングを連結したことを特徴とするランヤードにより前記課題を解決した。【選択図】図１
2012200310.tif 000002
【特許請求の範囲】
【請求項１】
織布よりなる筒状袋の内側に、人体を吊下し得る強度を有する筒状の鋼スプリングを内装し、前記筒状の鋼スプリングの一端にフックを連結し、他端にリングを連結したことを特徴とするランヤード。
【請求項２】
鋼スプリングは断面円形又は矩形にしたことを特徴とする請求項１記載のランヤード。
【請求項３】
織布は、延伸ナイロン繊維又は延伸テトロン繊維で織成したことを特徴とする請求項１記載のランヤード。
【発明の詳細な説明】
【技術分野】
【０００１】
この発明は、高所作業の際、作業員が誤って落下したした際、作業員の身体を支持し、作業員の安全を図るために用いることを目的としたランヤードに関する。
【背景技術】
【０００２】
従来、ランヤード（安全ベルト）については幾多の提案があるが、人体を支持するベルトは何れも合成樹脂繊維製であって、人体落下時の衝撃に耐え得る強度が付与してあるから、引張り衝撃には耐え得るとされたいた。
【先行技術文献】
【特許文献】
【０００３】
【特許文献１】特許第３２８７５３号公報
【特許文献２】実用新案登録第２５２０２１０号公報
【発明の概要】
【発明が解決しようとする課題】
【０００４】
従来提案され、使用されているランヤードは、ナイロン繊維又はテトロン繊維などによる外筒織布の中に、アラミド繊維などの強靱な繊維を内装し、内外繊維によって人体の落下応力（例えば１５ｋN（キロニュートン））に耐え得る強度を保有させてあった。従って、人体の落下に耐えて十分安全性を確保できた。
【０００５】
然しながら、前記各繊維は、引張力に対して十分な強度を保有しているが、剪断力（例えば金属板に挟まれ、横方向へ引っ張られる時切断される方向の力など）に対しては、容易に切断されるおそれがあった。
【０００６】
この発明はのランヤードは、金属線を内装して剪断力が掛かった際にも切断されるおそれがなく、十分な強度を保有させて、ランヤードの信頼性を更に向上させることを課題とするものである。
【課題を解決するための手段】
【０００７】
この発明は、従来使用されていた高強度合成繊維に代えて、金属線を使用することにより、前記従来の問題点を解決したのである。即ち、金属線の場合には取扱い上柔軟性に欠ける場合があるので、金属スプリングとすることによって、常時は比較的短くできると共に、人体の吊り下げ時には伸長して支持することにより、落下加速度を軽減し、落下による吊下力を可及的に軽減し、安全使用を可能にしたのである。
【０００８】
前記のように、金属スプリングにすれば、人体の落下に際し、まずスプリングが伸長するので、落下速度が緩和されると共に（スプリングの弾力による）、落下速度の緩和による吊り下げ停止時の衝撃も著しく緩和される。
【０００９】
この発明におけるランヤードは、強靱な合成樹脂繊維（例えば延伸ナイロン繊維、延伸テトロン繊維、あるいはアラミド繊維）により外筒袋を織成し、該外筒袋の中へ、スプリング鋼よりなる筒状スプリング（断面円形または矩形）を収容する。前記スプリング鋼は、剪断力に対して十分な強度を示すので、作業中に生じ易い他物（例えば金属板）による挟着と引張りがあって挟着部へ剪断力が掛かっても、これにより剪断するおそれがなく、予期される事故に対し十分な強度を発揮させることができる。
【００１０】
この発明において使用するスプリング鋼は特殊性能を有するいわゆる特殊鋼でなくてもよく、普通に使用されているスプリング鋼で所定の強度を有するものは、何れも使用することができる。従って、公知の安全ベルトのアラミド繊維に代えて、鋼線を数本使用することもできるが、伸縮性を有する点から筒状スプリングを採用した。
【００１１】
また、筒状スプリングには、円形と方形（例えば矩形）とあるが、ベルトの断面は円形よりも矩形が良い（使用上）ので、この発明においては矩形を基本とするが、正方形でも円形でも使用することができる。
【００１２】
即ち、請求項１記載の発明は、織布よりなる筒状袋の内側に、人体を吊下し得る強度を有する筒状の鋼スプリングを内装し、前記筒状の鋼スプリングの一端にフックを連結し、他端にリングを連結したことを特徴とするランヤードである。
【００１３】
また、請求項２記載の発明は、鋼スプリングは断面円形又は矩形にしたことを特徴とする請求項１記載のランヤードである。
【００１４】
さらに、請求項３記載の発明は、織布は、延伸ナイロン繊維又は延伸テトロン繊維で織成したことを特徴とする請求項１記載のランヤードである。
【発明の効果】
【００１５】
この発明によれば、筒状織布の中へ金属製の筒状スプリングを挿通したランヤードなので、これが金属板などに挟着されて引張力を受けた場合であっても、剪断のおそれがなく、所定の強度を保持し、目的を達成できる効果がある。
【００１６】
また、スプリングであるから、通常は比較的短くまとまっているので使用し易く（例えば伸長して１７０ｃｍがほぼ８０ｃｍになっている）、必要に応じて伸縮するので、長さについて特別の考慮なく容易に使用することができる効果がある。
【００１７】
さらに、誤って身体が落下する際には、スプリングが予め伸長するので、落下速度と加速度の増加を制御して、落下者の吊下された際の衝撃を可及的に緩和できる効果がある。
【図面の簡単な説明】
【００１８】
【図１】（ａ）この発明の実施例の一部を省略した平面図、（ｂ）同じく一部を破切した伸長時の拡大図、（ｃ）同じく縮小時の一部破切した拡大図、（ｄ）同じく図（ｂ）中、Ａ−Ａ断面図。
【図２】（ａ）同じく他の実施例の一部を破切した一部拡大平面図、（ｂ）同じく縮小時の一部破切した拡大図、（ｃ）同じくＢ−Ｂ断面図。
【発明を実施するための形態】
【００１９】
この発明は、強靱な合成樹脂繊維（例えばナイロン繊維、テトロン繊維又はアラミド繊維）の織布よりなる筒袋の中に、スプリング鋼線よりなる筒状スプリングを収容し、前記筒袋内の筒状スプリングの一端に金属フックを固定し、他端に金属リングを固定したランヤードである。
【００２０】
前記における筒状スプリングは円形又は矩形でがあるが、安全ベルトとしては矩形が好ましい。寸法については、従来公知の安全ベルトと同一幅で、適度の厚さ（スプリングの形状による）となる。
【００２１】
即ち、繊維の筒袋内に鋼スプリングを収容すること以外は従来の安全ベルトとほぼ同一形態であって、鋼スプリングを収容することによって、ランヤードの外力による剪断破断がなくなり、十分な強度を発揮することができた。
【００２２】
前記ランヤードの強度は、鋼スプリングが必要な強度（例えば１５ｋＮ）とし、筒状袋の強度は余分な強さとなるので、安心して使用することができる。
【００２３】
また、ランヤードの標準長さ（人体吊り下げ時の長さ）は、例えば１７０ｃｍであるが、この発明は伸縮自在のスプリングを伸長余裕のある筒状袋へ収容して用いるので、不使用時の長さはほぼ８０ｃｍとなり、極めて扱い易くなる。さらに、作業時に邪魔になるおそれがなく、作業性も良好である。
【００２４】
この発明の筒状スプリングは、断面が円形でも矩形でもよいが、通常断面が矩形の方が扁平（ベルト外形）となり、使用上好ましい場合が多い。例えば、幅３ｃｍならば、厚さ０．５ｃｍ〜１．０ｃｍに選定する。また、円形スプリングの場合には、外観上直径が１ｃｍを超えない方が好ましい。なお、細線による鋼スプリングにして、２本又は３本並列して収容する場合も考えられるが、このような場合には直径５ｍｍ程度の円形スプリングも考えられる。
【実施例１】
【００２５】
この発明の実施例を図１に基づいて説明する。ナイロン繊維、テトロン繊維又はアラミド繊維などの強靱な合成樹脂繊維により、筒状袋１を織成し、筒状袋１内へ断面矩形の鋼スプリング２（例えば直径１ｍｍ）を収容し、鋼スプリング２の一端へ連結環４を介してフック３を連結し、鋼スプリング２の他端へリング５を連結してランヤード７を構成する。
【００２６】
鋼スプリング２は、図１（ｄ）のように、矩形であって、ベルト状外形になるが、断面円形にしてロープ状外形とする場合も考えられる。
【００２７】
ランヤード７の伸長時の長さは、例えば１７０ｃｍ、縮小時の長さはほぼ８０ｃｍであって、縮小時には図１（ｃ）のように屈曲し、伸長時には図１（ｂ）のように筒状袋１の蛇行状の屈曲がなくなり、鋼スプリング２は図１（ｂ）のように伸ばされる。
【実施例２】
【００２８】
この発明の他の実施例を図２に基づいて説明する。ナイロン繊維又はテトロン繊維などの強靱な合成樹脂繊維により筒状袋１を織成し、筒状袋１内へ、断面円形の鋼スプリング６、６を収容し、鋼スプリング６、６の両端をまとめて、１個のフック及びリングをそれぞれ連結し（非図示）、ランヤード７を構成した。前記実施例は筒状袋１内へ２本の鋼スプリング６、６を収容したので、鋼スプリング６、６によって人体を吊下し得る強度（例えば１５ｋＮ）を得るようにしてある。当然のことながら、前記のように鋼スプリング６、６の両端にフック及びリングがそれぞれ直結してある。
【符号の説明】
【００２９】
１  筒状袋
２、６  鋼スプリング
３  フック
４  連結環
５  リング
７  ランヤード
【図１】
2012200310.tif 000003
【図２】
2012200310.tif 000004